(57)【特許請求の範囲】
【請求項１】
ベースと、
このベースに上下動作可能に設けられた切断刃を有する切削装置本体と、
前記ベース上に設けられた、前記切削装置本体に向いた作業者の左手により該ベースの左側からセットされる切断される加工物を載せる加工物載せ部と、
前記ベースを地面や床などの設置面から浮かせ支持する該ベースの全周囲を囲う平板製部材からなる囲い体と、
この囲い体に収められた前記ベースの前記浮かせを実現する部位であるとともに、該ベースをシーソー形態で左右に上下するように支持する該囲い体に設けられたベース支持部と、
このベース支持部を構成する前記囲い体側の部位である該囲い体の前部側に貫通された孔と、
前記ベース支持部を構成する前記囲い体側の部位である該囲い体の後部側に貫通された孔と、
前記囲い体と前記ベースを連結固定して該ベースの傾き状態をロックし且つ該連結ロック状態を解除して該ベースの前記シーソー形態での左右に上下する左右上下可動が自由に行えるようにするネジ、カムレバーなどからなるロック・解除操作部とからなるとともに、
前記ベース支持部の位置が、前記ロック・解除操作部を解除した状態では、前記ベースが自然に作業者の右手側である右側が下がり傾く位置であることを特徴とする切断装置。
【発明の詳細な説明】
【技術分野】
【０００１】
本発明は、長尺の加工物の切断時において、該加工物の傾きにベースおよび切断刃を同調させて簡単に傾かせて切断を行うことができる切断装置に関する。
【背景技術】
【０００２】
ベースの下に支点となる支持部材を設け、ベースをシーソー形態にバランスさせて、長尺の加工物をベースに載せると該加工物の傾きにベースが調節されるとい切断装置が知られている（例えば特許文献１、２）。
また、ベースの下に棒部材をコの字上にした形態の枠体を取り付け、その取り付けがベースの右側と枠体の右側を軸支してベースの左側を上下可動自在にし、左側にベースを固定したり解除して上下可動自在にするロック・解除操作部を設けてなる切断装置が知られている（例えば特許文献３）。
【特許文献１】特開2000-354911号公報
【特許文献２】特開２００５−２２４９３１号公報
【特許文献３】米国特許出願公開２００３／００２４３６４号明細書
【非特許文献１】特になし
【発明の開示】
【発明が解決しようとする課題】
【０００３】
特許文献１、２の技術は、切断操作中にベースが動いてしまう危険があるものであった。
また、特許文献３の技術は、切断ごとに手動操作によってベースの傾きを調節しなければならない面倒な装置であった。
【０００４】
本発明は以上のような従来技術の欠点に鑑み、加工物の傾きにベースの傾きを合わせる操作が簡単に行えるとともに、ベースの傾きの簡単なロックができ且つ簡単に解除ができる切断装置を提供することを目的としている。
【０００５】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【課題を解決するための手段】
【０００６】
上記目的を達成するために、本発明は次のような構成としている。
＜請求項１記載の発明＞
ベースと、このベースに上下動作可能に設けられた切断刃を有する切削装置本体と、前記ベース上に設けられた、前記切削装置本体に向いた作業者の左手により該ベースの左側からセットされる切断される加工物を載せる加工物載せ部と、前記ベースを地面や床などの設置面から浮かせ支持する該ベースの全周囲を囲う平板製部材からなる囲い体と、この囲い体に収められた前記ベースの前記浮かせを実現する部位であるとともに、該ベースをシーソー形態で左右に上下するように支持する該囲い体に設けられたベース支持部と、このベース支持部を構成する前記囲い体側の部位である該囲い体の前部側に貫通された孔と、前記ベース支持部を構成する前記囲い体側の部位である該囲い体の後部側に貫通された孔と、前記囲い体と前記ベースを連結固定して該ベースの傾き状態をロックし且つ該連結ロック状態を解除して該ベースの前記シーソー形態での左右に上下する左右上下可動が自由に行えるようにするネジ、カムレバーなどからなるロック・解除操作部とからなるとともに、前記ベース支持部の位置が、前記ロック・解除操作部を解除した状態では、前記ベースが自然に作業者の右手側である右側が下がり傾く位置であることを特徴とする切断装置である。
【発明の効果】
【０００７】
以上の説明から明らかなように、本発明にあっては次に列挙する効果が得られる。
＜請求項１記載の発明の効果＞
ベースと、このベースに上下動作可能に設けられた切断刃を有する切削装置本体と、前記ベース上に設けられた切断される加工物を載せる加工物載せ部と、前記ベースを地面や床などの設置面から浮かせ支持する該ベースの全周囲を囲う平板製部材からなる囲い体と、この囲い体に収められた前記ベースの前記浮かせを実現する部位であるとともに、該ベースをシーソー形態で左右に上下するように支持する該囲い体に設けられたベース支持部と、このベース支持部を構成する前記囲い体側の部位である該囲い体の前部側に貫通された孔と、前記ベース支持部を構成する前記囲い体側の部位である該囲い体の後部側に貫通された孔と、前記囲い体と前記ベースを連結固定して該ベースの傾き状態をロックし且つ該連結ロック状態を解除して該ベースの前記シーソー形態での左右に上下する左右上下可動が自由に行えるようにするネジ、カムレバーなどからなるロック・解除操作部と、以上のごとく構成されてなることを特徴とする切断装置であるので、
（１）加工物をベースに載せてのベースの傾き調節は、ロック・解除操作部を解除状態にして、加工物を軽くベースに押さえるだけの簡単操作で該加工物の底面と該ベース面との全面当接状態とでき、素早く正確にベースの傾きを調節できるとともに、ロック・解除操作部をロック状態とすることにより簡単・素早くベースをロックして、安全に切断操作を行うことができるという効果を奏する。
（２）ベースを囲い体によって囲う形態であるので、囲い体がベースと一体的な景観を形成して違和感のない形態を実現するとともに、ベースの設置面からの持ち上がりを少なくできるという効果を奏する。
（３）移動、置くなどの際はロック・解除操作部をロック状態としておく（傾き調節時以外は常にロックにしておく）ことにより、囲い枠が揺れることのない安定した移動、置きができるという効果を奏する。
（４）左側に位置される加工物の荷重が右側を上げるよりベースにより多く掛り容易に早く傾かせやすく、操作性がよいという効果を奏する。
【発明を実施するための最良の形態】
【０００８】
以下、図面に示す発明を実施するための最良の形態により、本発明を詳細に説明する。
【０００９】
図１ないし図５に示す本発明を実施するための最良の第１の実施の形態において、１は切断装置であって、この切断装置１はベース２と、このベース２に上下動作可能に設けられた切断刃３を有する切削装置本体４と、記ベース２上に設けられた切断される加工物５を載せる加工物載せ部６と、前記ベース２を地面や床などの設置面から浮かせ支持する該ベース２の周囲を囲う囲い体７と、この囲い体７に収められた前記ベース２を該囲い体７でシーソー形態で左右に上下するように支持するベース支持部８と、前記囲い体７と前記ベース２を連結固定して該ベース２の傾き状態をロックし且つ該連結ロック状態を解除して該ベース２の左右上下可動が自由に行えるようにするネジ、カムレバーなどからなるロック・解除操作部９とからなっている。
【００１０】
ロック・解除操作部９は、囲い体７の上部縁に立設された上下に長い調節孔２０（囲い体７にまで延びている）を有する平板部材からなる調節板２１と、この調節板２１との対抗部位の肉厚が回すことにより厚くなるカム部１０と、このカム部１０を回す該１０と一体化された回動される操作レバー１１と、カム部１０に軸支されて調節孔２０とベース２に貫通された孔に通されたボルト１２と、ボルト１２のベース２の内側に突出した先端に螺合されたナット１３と、囲い体７とカム部１０の間に設けられたスプリングワッシャー１４と、適宜な数設けられたワッシャー１５とからなっている。
【００１１】
ベース支持部８は、囲い体７とベース２の前部側に貫通された孔に通されたボルト１６と、囲い体７とベース２の後部側に貫通された孔に通されたボルト１７と、ベース２の内側でボルト１６とボルト１７の先端を螺合して連結したロングナット１８とからなっている。
切断装置１は、ロック・解除操作部９を解除した状態では、ベースが自然に右側が下がり傾くようにベース支持部８の位置が設定されている。
［付記］
請求項１記載の発明の構成において、ロック・解除操作部を解除した状態では、ベース支持部の位置がベースが自然に作業者の装置操作中の目線である正面から見て右側が下がり傾く位置であることを特徴とする切断装置である。
請求項１記載の発明の構成において、ロック・解除操作部を解除した状態では、ベース支持部の位置がベースが自然に作業者の装置操作中の目線である正面から見て右側が下がり傾く位置であることを特徴とする切断装置であるので、
請求項１記載の発明の効果と同様な効果を奏するとともに、左側に位置される加工物の荷重が右側を上げるよりベースにより多く掛り容易に早く傾かせやすく、操作性がよいという効果を奏する。
【産業上の利用可能性】
【００１２】
本発明は切断装置を製造する産業で利用される。
【図面の簡単な説明】
【００１３】
【図１】本発明を実施するための最良の第１の実施の形態のロック・解除操作部をロックした状態の斜視図（上図）およびロック・解除操作部を解除した状態の斜視図（下図）。
【図２】本発明を実施するための最良の第１の実施の形態の加工物をセットしロック・解除操作部をロックした状態の斜視図。
【図３】ロック・解除操作部のロックを解除した状態の斜視図。
【図４】ロック・解除操作部をロックした状態の斜視図。
【図５】本発明を実施するための最良の第１の実施の形態の底面図。
【符号の説明】
【００１４】
１：切断装置、
２：ベース、
３：切断刃、
４：切削装置本体、
５：加工物、
６：加工物載せ部、
７：囲い体、
８：ベース支持部、
９：ロック・解除操作部、
１０：カム部、
１１：操作レバー、
１２：ボルト、
１３：ナット、
１４：スプリングワッシャー、
１５：ワッシャー、
１６：ボルト、
１７：ボルト、
１８：ロングナット、
２０：調節孔、
２１：調節板。
【図１】
0004261595.tif 000002
【図２】
0004261595.tif 000003
【図３】
0004261595.tif 000004
【図４】
0004261595.tif 000005
【図５】
0004261595.tif 000006